【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
ピクセル特性の一つ以上の組を決定するステップ；
ピクセル特性の各組について画像編集関数を決定するステップ；
デジタル画像を修正するための、コンピュータで読み取り可能な媒体上に具現化される混合関数アルゴリズムを提供するステップ；及び
ピクセル特性の一つ以上の組と決定された画像編集関数とに基づいて混合関数アルゴリズムを適用することにより、デジタル画像を処理するステップ
を有することを特徴とするデジタル画像の画像処理方法。
【請求項２】
画像編集関数が、画像処理フィルタであることを特徴とする請求項１に記載の画像処理方法。
【請求項３】
ピクセル特性の一つ以上の組の各組が、位置依存性に独立な少なくとも１つの特性を有していることを特徴とする請求項１に記載の画像処理方法。
【請求項４】
ピクセル特性の一つ以上の組を決定するステップにおいて、それぞれのピクセル特性に重み付け値の組を関連付け、位置依存性の特性に対してゼロである重み付け値が割り当てられることを特徴とする請求項３に記載の画像処理方法。
【請求項５】
位置依存性に独立な少なくとも１つの特性が、色依存性または構造依存性であることを特徴とする請求項３に記載の画像処理方法。
【請求項６】
ピクセル特性の一つ以上の組を決定するステップおよびピクセル特性の各組について画像編集関数を決定するステップは、ユーザの操作に応じて実行されることを特徴とする請求項１に記載の画像処理方法。
【請求項７】
混合関数アルゴリズムが差分関数を含むことを特徴とする請求項１に記載の画像処理方法。
【請求項８】
差分関数アルゴリズムは、ピクセル特性と、決定されたピクセル特性の一つ以上の組のなかの一つとの差異に基づいた値を計算することを特徴とする請求項７に記載の画像処理方法。
【請求項９】
ピクセル特性の各組について一組の重み付け値を決定するステップを更に有し、前記処理ステップは決定された重み付け値の組に基づいて混合関数アルゴリズムを適用することを特徴とする請求項１に記載の画像処理方法。
【請求項１０】
前記混合関数アルゴリズムは、計算を規格化するための制御関数を含むことを特徴とする請求項１に記載の画像処理方法。
【請求項１１】
第一のピクセル特性の組を決定し、第一のピクセル特性の組の少なくとも一つの特性を位置依存性にし、第一のピクセル特性の組の少なくとも一つの特性を色依存性又は構造依存性にするか、或いはその両方にすることを特徴とする請求項１に記載の画像処理方法。
【請求項１２】
第一のピクセル特性の組を決定し、第一のピクセル特性の組の少なくとも二つの異なる特性を、位置依存性、色依存性、及び構造依存性からなるグループから選択することを特徴とする請求項１に記載の画像処理方法。
【請求項１３】
ユーザによってデジタル画像内に決定された一つ以上の画像参照ポイントの座標を受信するステップ；
一つ以上の決定された画像参照ポイントの座標に関連付けられた一つ以上の画像編集関数のユーザによる指定を受信するステップ；
デジタル画像を修正するための混合関数アルゴリズムを提供するステップ；及び
一つ以上の指定された画像編集関数と一つ以上の決定された画像参照ポイントの座標とに基づいて前記混合関数アルゴリズムを適用することによりデジタル画像を処理するステップ
を有することを特徴とするデジタル画像の画像処理方法。
【請求項１４】
一つ以上の画像編集関数のなかの少なくとも一つが、画像処理フィルタであることを特徴とする請求項１３に記載の画像処理方法。
【請求項１５】
決定された画像参照ポイントの座標に図形アイコンを表示するステップを更に含むことを特徴とする請求項１３に記載の画像処理方法。
【請求項１６】
デジタル画像がピクセルを有し、混合関数アルゴリズムがデジタル画像の各ピクセルから一つ以上の決定された画像参照ポイントの座標までの幾何学的距離を計算することを特徴とする請求項１３に記載の画像処理方法。
【請求項１７】
混合関数アルゴリズムが、デジタル画像の各ピクセルから一つ以上の決定された画像参照ポイントの座標までの計算された幾何学的距離の関数として動作することを特徴とする請求項１６に記載の画像処理方法。
【請求項１８】
デジタル画像が画像特性を持つピクセルを有し、一つ以上の決定された画像参照ポイントの座標と関連付けられた一つ以上の指定された画像特性を受信するステップを更に含み、混合関数アルゴリズムがデジタル画像のある一つのピクセルの画像特性と一つ以上の指定された画像特性との間の特性差を計算することを特徴とする請求項１３に記載の画像処理方法。
【請求項１９】
一つ以上の重み付け値を受信するステップを更に含み、前記処理ステップが重み付け値に基づいて混合関数アルゴリズムを適用することを特徴とする請求項１３に記載の画像処理方法。
【請求項２０】
一つ以上の決定された画像参照ポイントの座標と関連付けられた一つ以上の関心領域を受信するステップを更に含むことを特徴とする請求項１３に記載の画像処理方法。
【請求項２１】
デジタル画像が画像特性を持つピクセルを有し、混合関数アルゴリズムが、ある一つのピクセルの画像特性と一つ以上の決定された画像参照ポイントの座標に隣接する一つ以上のピクセルの画像特性との特性差を計算することを特徴とする請求項１３に記載の画像処理方法。
【請求項２２】
一つ以上の決定された画像参照ポイントの座標を受信する第一のインターフェイスと、一つ以上の指定された画像編集関数を受信する第二のインターフェイスとを備えるアプリケーションプログラムインターフェイスを提供するステップを更に含むことを特徴とする請求項１３に記載の画像処理方法。
【請求項２３】
混合関数アルゴリズムが、ピタゴラス距離測定方法、色曲線法、セグメント化法、分類法、拡大エリア法、及びオフセットベクター法からなるグループから選択されることを特徴とする請求項１３に記載の画像処理方法。
【請求項２４】
セグメント化法は多重セグメント化を含むことを特徴とする請求項２３に記載の画像処理方法。
【請求項２５】
デジタル画像は属性を持つピクセルを有し、分類法によりピクセル属性の類似性を調整することを特徴とする請求項２３に記載の画像処理方法。
【請求項２６】
画像特性を持つピクセルを有するデジタル画像の処理方法であって、
デジタル画像内に画像参照ポイントの位置を決定するステップ；
画像編集関数を決定するステップ；及び
決定された画像参照ポイントの位置、又は決定された画像参照ポイントの位置におけるピクセルの画像特性、或いは、その両方に基づいて、決定された画像編集関数を適用することにより、デジタル画像を処理するステップ
を有することを特徴とするデジタル画像の画像処理方法。
【請求項２７】
少なくとも一つの画像編集関数が、画像処理フィルタであることを特徴とする請求項２６に記載の画像処理方法。
【請求項２８】
一つ以上の画像編集関数を提供するステップ；
デジタル画像内に一つ以上の画像参照ポイントの座標を設定するステップ；
デジタル画像を修正するための混合関数アルゴリズムを提供するステップ；及び
一つ以上の画像編集関数と一つ以上の設定された画像参照ポイントの座標とに基づいて混合関数アルゴリズムを適用することにより、デジタル画像を処理するステップ
を有することを特徴とするデジタル画像の画像処理方法。
【請求項２９】
一つ以上の画像編集関数のなかの少なくとも一つが、画像処理フィルタであることを特徴とする請求項２８に記載の画像処理方法。
【請求項３０】
画像処理フィルタが、ノイズ削減フィルタ、鮮明化フィルタあるいは色変更フィルタであることを特徴とする請求項２９に記載の画像処理方法。
【請求項３１】
デジタル画像内の一つ以上の点の座標を受信するステップをさらに有し、受信された座標に基づいて一つ以上の画像参照ポイントの座標が設定されることを特徴とする請求項２８に記載の画像処理方法。
【請求項３２】
少なくとも１つの画像参照ポイントが、位置依存性に独立した特性に関連付けられることを特徴とする請求項２８に記載の画像処理方法。
【請求項３３】
前記処理ステップが、位置依存性の特性に関連付けられる画像参照ポイントに対して、ゼロである重み付け値を割り当てることを特徴とする請求項３２に記載の画像処理方法。
【請求項３４】
デジタル画像内に一つ以上の画像参照ポイントの座標を設定するステップは、ユーザの操作に応じて実行されることを特徴とする請求項２８に記載の画像処理方法。
【請求項３５】
請求項１から請求項３４のいずれかの請求項に記載された画像処理方法を、コンピュータを基にした情報処理システムに実行させるためのコンテンツが記録されたコンピュータで読み取り可能な媒体。
【請求項３６】
請求項３５に記載されたコンピュータで読み取り可能な媒体と、コンピュータを基にした情報処理システムとを有して構成されることを特徴とするデジタル画像処理システム。
【請求項３７】
コンピュータを基にした情報処理システムがデジタルカメラを有することを特徴とする請求項３６に記載のデジタル画像処理システム。
【請求項３８】
画像特性を持つピクセルを有するデジタル画像の画像処理をコンピュータ上で実行するための、コンピュータで読み取り可能な媒体上に具体化されたコンピュータプログラムであって、
ユーザによってデジタル画像内に決定された一つ以上の画像参照ポイントの座標を受信する第一の入力モジュール、及び
一つ以上の決定された画像参照ポイントのそれぞれの座標、又は、一つ以上の決定された画像参照ポイントのそれぞれの座標に隣接する一つ以上のピクセルの画像特性、或いはその両方に関連付けられた画像編集関数のユーザによる指定を受信する第二の入力モジュール
を有して構成されることを特徴とするコンピュータプログラム。
【請求項３９】
第二の入力モジュールが、決定された画像参照ポイントのそれぞれの座標、及び、決定された画像参照ポイントのそれぞれの座標に隣接する一つ以上のピクセルの画像特性の両方に関連付けられる画像編集関数の指定を受信することを特徴とする請求項３８に記載のコンピュータプログラム。
【請求項４０】
画像編集関数が画像処理フィルタであることを特徴とする請求項３８に記載のコンピュータプログラム。
【請求項４１】
一つ以上の決定された画像参照ポイントのそれぞれの座標に図形アイコンを表示する第一の表示モジュールをさらに有することを特徴とする請求項３８に記載のコンピュータプログラム。
【請求項４２】
第一の表示モジュールは、図形アイコンの再ポジショニングを可能にすることを特徴とする請求項４１に記載のコンピュータプログラム。
【請求項４３】
指定された画像編集関数を表す画像を表示する第二の表示モジュールをさらに有することを特徴とする請求項３８に記載のコンピュータプログラム。
【請求項４４】
第二の入力モジュールが、重み付け値を表す一つ以上のパラメータをさらに受信することを特徴とする請求項３８に記載のコンピュータプログラム。